(57)【特許請求の範囲】
【請求項１】
スペクトル割付けにおいて少なくとも１つのキャリアに対応する第１の組のサブキャリアを決定し、前記スペクトル割付けにおいて残りの使用可能なサブキャリアに対応する第２の組のサブキャリアを決定し、前記第１の組のサブキャリア上の符号分割多重化（ＣＤＭ）データまたは直交周波数分割多重化（ＯＦＤＭ）データ、あるいはＣＤＭデータとＯＦＤＭデータの両方を備え、前記第２の組のサブキャリア上のＯＦＤＭデータをさらに備える出力波形を生成し、前記ＣＤＭが選択される場合チップレートで前記ＣＤＭデータを生成し、前記ＯＦＤＭが選択される場合サンプルレートで前記ＯＦＤＭデータを生成し、ＭＩＭＯ及びＳＤＭＡを含む空間技法が使用されるとき、前記ＣＤＭデータを前記ＯＦＤＭデータで置換し、使用可能なスペクトルが単一キャリアＣＤＭＡ波形の帯域幅の整数倍でないとき、前記ＯＦＤＭを使用する少なくとも１つのプロセッサと、
前記少なくとも１つのプロセッサに結合されたメモリと、
を備える装置。
【請求項２】
前記少なくとも１つのプロセッサは、前記少なくとも１つのキャリアのおのおのに対応するサブキャリア上のＣＤＭデータまたはＯＦＤＭデータを備え、前記第２の組のサブキャリア上のＯＦＤＭデータをさらに備える前記出力波形を生成する、請求項１に記載の装置。
【請求項３】
前記少なくとも１つのプロセッサは、オーバーヘッド期間において前記少なくとも１つのキャリアについてのオーバーヘッドデータをさらに備える前記出力波形を生成する、請求項２に記載の装置。
【請求項４】
前記出力波形は、前記少なくとも１つのキャリアについてのオーバヘッドデータと、オーバヘッド期間における第３の組のサブキャリア上のＯＦＤＭデータをさらに備える、請求項３に記載の装置。
【請求項５】
前記少なくとも１つのキャリアは、複数のサブキャリアを備え、前記少なくとも１つのプロセッサは、前記少なくとも１つのキャリアのおのおのに対応するサブキャリア上のＣＤＭデータまたはＯＦＤＭデータを備え、前記第２の組のサブキャリア上のＯＦＤＭデータをさらに備える前記出力波形を生成する、請求項１に記載の装置。
【請求項６】
前記少なくとも１つのプロセッサは、ＣＤＭデータを有するキャリアと、ＯＦＤＭデータを有する隣接するキャリアとの間の少なくとも１つのヌルサブキャリアを決定し、前記第１の組のサブキャリアは、前記少なくとも１つのキャリアの間のヌルサブキャリアを除外する、請求項５に記載の装置。
【請求項７】
スペクトル割付けにおいて少なくとも１つのキャリアに対応する第１の組のサブキャリアを決定することと、
前記スペクトル割付けにおいて残りの使用可能なサブキャリアに対応する第２の組のサブキャリアを決定することと、
前記第１の組のサブキャリア上の符号分割多重化（ＣＤＭ）データまたは直交周波数分割多重化（ＯＦＤＭ）データ、あるいはＣＤＭデータとＯＦＤＭデータの両方を備え、前記第２の組のサブキャリア上のＯＦＤＭデータをさらに備える、出力波形を生成することと、
前記ＣＤＭが選択される場合チップレートで前記ＣＤＭデータを生成し、前記ＯＦＤＭが選択される場合サンプルレートで前記ＯＦＤＭデータを生成することと、
ＭＩＭＯ及びＳＤＭＡを含む空間技法が使用されるとき、前記ＣＤＭデータを前記ＯＦＤＭデータで置換することと、
使用可能なスペクトルが単一キャリアＣＤＭＡ波形の帯域幅の整数倍でないとき、前記ＯＦＤＭを使用することと
を備える方法。
【請求項８】
前記出力波形は、前記少なくとも１つのキャリアについてのオーバヘッドデータと、オーバヘッド期間における第３の組のサブキャリア上のＯＦＤＭデータをさらに備える、請求項７に記載の方法。
【請求項９】
スペクトル割付けにおいて少なくとも１つのキャリアに対応する第１の組のサブキャリアを決定するための手段と、
前記スペクトル割付けにおいて残りの使用可能なサブキャリアに対応する第２の組のサブキャリアを決定するための手段と、
前記第１の組のサブキャリア上の符号分割多重化（ＣＤＭ）データまたは直交周波数分割多重化（ＯＦＤＭ）データ、あるいはＣＤＭデータとＯＦＤＭデータの両方を備え、前記第２の組のサブキャリア上のＯＦＤＭデータをさらに備える出力波形、を生成するための手段と、
前記ＣＤＭが選択される場合チップレートで前記ＣＤＭデータを生成し、前記ＯＦＤＭが選択される場合サンプルレートで前記ＯＦＤＭデータを生成する手段と、
ＭＩＭＯ及びＳＤＭＡを含む空間技法が使用されるとき、前記ＣＤＭデータを前記ＯＦＤＭデータで置換する手段と、
使用可能なスペクトルが単一キャリアＣＤＭＡ波形の帯域幅の整数倍でないとき、前記ＯＦＤＭを使用する手段と
を備える装置。
【請求項１０】
前記出力波形は、前記少なくとも１つのキャリアについてのオーバヘッドデータと、オーバヘッド期間における第３の組のサブキャリア上のＯＦＤＭデータをさらに備える、請求項９に記載の装置。
【発明の詳細な説明】
【優先権の主張】
【０００１】
［Ｉ．３５Ｕ．Ｓ．Ｃ．§１１９の下における優先権の主張］  
この特許出願は、この譲受人に譲渡され、参照によりここにおいて明示的に組み込まれている、両方が２００６年２月２１日に出願された、「ワイヤレス通信のシステムおよび方法(Wireless Communication System and Method)」と題された仮出願第６０／７７５，４４３号と、「ＤＯ通信のシステムおよび方法(DO Communication System and Method)」と題された仮出願第６０／７７５，６９３号との優先権を主張する。
【技術分野】
【０００２】
本開示は、一般に通信に関し、より詳細にはワイヤレス通信システムについての送信技法に関する。
【背景技術】
【０００３】
ワイヤレス通信システムは、音声、ビデオ、パケットデータ、メッセージング、ブロードキャストなど、様々な通信サービスを提供するために広く展開される。これらのシステムは、使用可能なシステムリソースを共用することにより、複数の(multiple)ユーザをサポートすることができる多元接続システムとすることができる。多元接続システムの例は、符号分割多元接続(Code Division Multiple Access)（ＣＤＭＡ）システムと、時分割多元接続(Time Division Multiple Access)（ＴＤＭＡ）システムと、周波数分割多元接続(Frequency Division Multiple Access)（ＦＤＭＡ）システムと、直交ＦＤＭＡ(Orthogonal FDMA)（ＯＦＤＭＡ）システムと、単一キャリアＦＤＭＡ(Single-Carrier FDMA)（ＳＣ−ＦＤＭＡ）システムを含む。
【０００４】
多元接続システムは、符号分割多重化(code division multiplexing)（ＣＤＭ）、時分割多重化(time division multiplexing)（ＴＤＭ）など、１つまたは複数の多重化スキームを利用することができる。そのシステムは、展開されることができ、そして既存の端末にサービスする(serve)ことができる。既存の端末についての後方互換性を保持しながら、システムの性能を改善することが望ましい可能性がある。例えば、複数の(multiple)アンテナの使用により提供される追加の空間次元を活用することにより、スループットおよび／または信頼性を改善するために、多入力多出力(multiple-input multiple-output)（ＭＩＭＯ）や空間分割多元接続(spatial division multiple access)（ＳＤＭＡ）などの空間技法(spatial technique)を使用することが望ましい可能性がある。
【０００５】
したがって、既存の端末についての後方互換性を保持しながら、高度な通信技法（例えば、空間技法）をサポートし、帯域幅の利用を改善することができる送信技法についての、当技術分野における必要性が存在する。
【発明の概要】
【０００６】
ワイヤレス通信システムにおいて効率的にデータを送信し、そして受信するための技法が、ここにおいて説明される。本技法は、既存の設計と後方互換性のあるスロット構造を利用している。本技法はまた、空間技法および／または他の高度な通信技法を効率的にサポートするために直交周波数分割多重化(orthogonal frequency division multiplexing)（ＯＦＤＭ）を選択的に使用している。
【０００７】
一態様によれば、少なくとも１つのトラフィックセグメントのおのおのについてＣＤＭまたはＯＦＤＭを選択する装置が説明される。各トラフィックセグメントは、特定の時間周波数リソースに対応することができる。本装置は、各トラフィックセグメントが、ＣＤＭがトラフィックセグメントについて選択される場合にＣＤＭデータを、あるいはＯＦＤＭがトラフィックセグメントについて選択される場合にはＯＦＤＭデータを搬送する、少なくとも１つのトラフィックセグメントから構成される出力波形を生成する。ＣＤＭデータは、例えば、異なる直交符号でチャネル化されるＣＤＭに基づいて処理されるデータである。ＯＦＤＭデータは、例えば、周波数ドメインにおいて複数の(multiple)サブキャリア上で送信されるＯＦＤＭに基づいて処理されるデータである。
【０００８】
別の態様によれば、トラフィック期間にわたってＣＤＭまたはＯＦＤＭを選択し、ＣＤＭが選択される場合、チップレートでＣＤＭデータを生成し、トラフィック期間においてＣＤＭデータを送信し、そしてＯＦＤＭが選択される場合には、サンプルレートで少なくとも１つのＯＦＤＭシンボルを生成し、トラフィック期間において少なくとも１つのＯＦＤＭシンボルを送信する装置が説明される。サンプルレートは、整数の比によってチップレートに関係づけられる。各ＯＦＤＭシンボルは、トラフィック期間の存続時間に基づいて決定される存続時間を有する。
【０００９】
さらに別の態様によれば、スペクトル割付けにおいて少なくとも１つのキャリアに対応する第１の組のサブキャリアを決定し、スペクトル割付けにおいて残りの使用可能なサブキャリアに対応する第２の組のサブキャリアも決定する装置が、説明される。本装置は、第１の組のサブキャリア上のＣＤＭデータ、ＯＦＤＭデータ、またはＣＤＭデータとＯＦＤＭデータの両方を備え、第２の組のサブキャリア上のＯＦＤＭデータをさらに備える出力波形を生成する。
【００１０】
さらに別の態様によれば、第１の端末についての第１のＯＦＤＭシンボルヌメロロジー (OFDM symbol numerology)に従って第１の組の少なくとも１つのＯＦＤＭシンボルを生成し、第２の端末についての第２のＯＦＤＭシンボルヌメロロジーに従って第２の組の少なくとも１つのＯＦＤＭシンボルを生成する装置が、説明される。第１および第２のＯＦＤＭシンボルヌメロロジーは、異なるＯＦＤＭシンボル存続時間、サブキャリアの異なる数、異なる巡回プレフィックス長などに関連づけられることができる。
【００１１】
さらに別の態様によれば、トラフィックセグメントにわたってＣＤＭが使用されるか、あるいはＯＦＤＭが使用されるかを決定し、ＣＤＭが使用される場合、トラフィックセグメントの中で送信されるＣＤＭデータを回復するように受信サンプルを処理し、そしてＯＦＤＭが使用される場合には、トラフィックセグメントの中で送信されるＯＦＤＭデータを回復するように受信サンプルを処理する装置が、説明される。
【００１２】
本開示の様々な態様および特徴が、以下でさらに詳細に説明される。
【図面の簡単な説明】
【００１３】
【図１】高速パケットデータ（ＨＲＰＤ）通信システムを示す図である。
【図２】ＣＤＭをサポートする単一キャリアスロット構成を示す図である。
【図３Ａ】ＯＦＤＭをサポートする単一キャリアスロット構成を示す図である。
【図３Ｂ】ＣＤＭおよびＯＦＤＭをサポートする単一キャリアスロット構成を示す図である。
【図４】ＣＤＭをサポートするマルチキャリアスロット構成を示す図である。
【図５】ＣＤＭおよびＯＦＤＭをサポートするマルチキャリアスロット構成を示す図である。
【図６】ＣＤＭおよびＯＦＤＭをサポートする別のマルチキャリアスロット構成を示す図である。
【図７】ＯＦＤＭおよびＣＤＭをサポートするスロット構成を示す図である。
【図８】５ＭＨｚスペクトル割付けにおいてＯＦＤＭをサポートするスロット構成を示す図である。
【図９】アクセスポイントおよび端末のブロック図である。
【図１０】送信（ＴＸ）ＣＤＭ／ＯＦＤＭプロセッサの設計を示す図である。
【図１１】ＴＸ  ＣＤＭ／ＯＦＤＭプロセッサの別の設計を示す図である。
【図１２】受信（ＲＸ）ＣＤＭ／ＯＦＤＭプロセッサの設計を示す図である。
【図１３】ＲＸ  ＣＤＭ／ＯＦＤＭプロセッサの別の設計を示す図である。
【図１４】選択可能なＣＤＭおよびＯＦＤＭを用いてデータを送信するためのプロセスを示す図である。
【図１５】適切なＯＦＤＭシンボルヌメロロジーを用いてデータを送信するためのプロセスを示す図である。
【図１６】使用可能なリソースを使用してデータを効率的に送信するためのプロセスを示す図である。
【図１７】複数のＯＦＤＭシンボルヌメロロジーを用いてデータを送信するためのプロセスを示す図である。
【図１８】ＣＤＭまたはＯＦＤＭを用いて送信されるデータを受信するためのプロセスを示す図である。
【詳細な説明】
【００１４】
ここにおいて説明される送信技法は、ＣＤＭＡシステム、ＴＤＭＡシステム、ＦＤＭＡシステム、ＯＦＤＭＡシステム、ＳＣ−ＦＤＭＡシステムなど、様々なワイヤレス通信システムのために使用されることができる。用語「システム」および「ネットワーク」は、多くの場合に交換可能に使用される。ＣＤＭＡシステムは、ｃｄｍａ２０００、ユニバーサル地上無線アクセス(Universal Terrestrial Radio Access)（ＵＴＲＡ）、進化型ＵＴＲＡ(Evolved UTRA)（Ｅ−ＵＴＲＡ）などの無線技術をインプリメントすることができる。ｃｄｍａ２０００は、ＩＳ−２０００規格、ＩＳ−９５規格およびＩＳ−８５６規格をカバーする。ＵＴＲＡは、広帯域ＣＤＭＡ(Wideband-CDMA)（Ｗ−ＣＤＭＡ）と、低チップレート(Low Chip Rate)（ＬＣＲ）とを含む。ＴＤＭＡシステムは、移動体通信用グローバルシステム(Global System for Mobile Communications)（ＧＳＭ（登録商標））などの無線技術をインプリメントすることができる。ＯＦＤＭＡシステムは、ロングタームエボリューション(Long Term Evolution)（ＬＴＥ）（これは、Ｅ−ＵＴＲＡの一部分である）、ＩＥＥＥ８０２．２０、フラッシュ−ＯＦＤＭ（登録商標）(Flash-OFDM)などの無線技術をインプリメントすることができる。ＵＴＲＡ、Ｅ−ＵＴＲＡ、ＧＳＭおよびＬＴＥは、「第３世代パートナーシッププロジェクト(3rd Generation Partnership Project)」（３ＧＰＰ）と名付けられた組織からのドキュメントの中で説明される。ｃｄｍａ２０００は、「第３世代パートナーシッププロジェクト２」（３ＧＰＰ２）と名付けられた組織からのドキュメントの中で説明される。これらの様々な無線の技術および規格は、当技術分野において知られている。
【００１５】
本技法は、ＭＩＭＯ技法、ＳＤＭＡ技法、および他の高度な通信技法をサポートするために使用されることができる。ＭＩＭＯおよびＳＤＭＡでは、マルチパスに起因したシンボル間干渉と、複数のデータストリームの同時送信に起因した空間（またはレイヤ間）干渉の両方が、信号対雑音および干渉比(signal-to-noise-and-interference ratio)（ＳＩＮＲ）とリンクスループットを最大にするために対処されるべきである。ＯＦＤＭがシンボル間干渉を抑制しようとする簡単なメカニズムを提供するので、ＯＦＤＭは、ＭＩＭＯやＳＤＭＡなどの空間技法では、ＣＤＭよりもよく適している。ＯＦＤＭを使用することにより、ＭＩＭＯ／ＳＤＭＡ設計は、まさしく空間干渉に対処することができる。それ故に、ＭＩＭＯやＳＤＭＡなどの空間技法が使用されるときはいつでも、ＣＤＭＡ波形成分をＯＦＤＭ波形成分で置き換えることが望ましい。使用可能なスペクトル（保護帯域(guard band)を除いて）が、単一キャリアＣＤＭＡ波形の帯域幅の整数倍数でないときはいつでも、使用可能なスペクトルは、マルチキャリアＣＤＭＡと比べると、ＯＦＤＭを用いてよりよく利用されることもできる。
【００１６】
明確にするために、本技法の様々な態様は、ＩＳ−８５６をインプリメントする高速パケットデータ(High Rate Packet Data)（ＨＲＰＤ）システムについて以下で説明される。ＨＲＰＤは、エボリューションデータオプティマイズド(Evolution-Data Optimized)（ＥＶ−ＤＯ）、データオプティマイズド(Data Optimized)（ＤＯ）、高速データレート(High Data Rate)（ＨＤＲ）などとも称される。ＨＲＰＤとＥＶ−ＤＯという用語は、多くの場合に交換可能に使用される。現在、ＨＲＰＤリビジョン（Ｒｅｖ．）０、Ａ、およびＢは、規格化されており、ＨＲＰＤ  Ｒｅｖ．０およびＡは、展開され、そしてＨＲＰＤ
Ｒｅｖ．Ｃは、開発中である。ＨＲＰＤ  Ｒｅｖ．０およびＡは、単一キャリアＨＲＰＤ（１×ＨＲＰＤ）をカバーする。ＨＲＰＤ  Ｒｅｖ．Ｂは、マルチキャリアＨＲＰＤをカバーし、ＨＲＰＤ  Ｒｅｖ．０およびＡと後方互換性がある。ここにおいて説明される本技法は、任意のＨＲＰＤリビジョンに組み込まれることができる。明確にするために、ＨＲＰＤの専門用語が、以下の説明の多くにおいて使用される。
【００１７】
図１は、複数のアクセスポイント１１０と、複数の端末１２０とを有するＨＲＰＤ通信システム１００を示している。アクセスポイントは、一般に端末と通信する固定局であり、基地局、ノードＢなどとも称されることができる。各アクセスポイント１１０は、特定の地理的区域についての通信カバレージを提供し、カバレージ区域内に配置される端末についての通信をサポートする。アクセスポイント１１０は、これらのアクセスポイントについての協調および制御を提供するシステムコントローラ１３０に結合することができる。システムコントローラ１３０は、基地局コントローラ(Base Station Controller)（ＢＳＣ）、パケット制御ファンクション(Packet Control Function)（ＰＣＦ）、パケットデータサービングノード(Packet Data Serving Node)（ＰＤＳＮ）などのネットワークエンティティを含むことができる。
【００１８】
端末１２０は、システム全体を通して分散させられることができ、各端末は、静止していることもでき、あるいは移動可能とすることもできる。端末は、アクセス端末、移動局、ユーザ装置、加入者ユニット、局などと称されることもできる。端末は、セルラ電話、携帯型個人情報端末(personal digital assistant)（ＰＤＡ）、ワイヤレスデバイス、ハンドヘルドデバイス、ワイヤレスモデム、ラップトップコンピュータなどとすることができる。端末は、任意のＨＲＰＤリビジョンをサポートすることができる。ＨＲＰＤにおいては、端末は、与えられた任意の瞬間に１つのアクセスポイントから順方向リンク上の伝送を受信することができ、１つまたは複数のアクセスポイントに対して逆方向リンク上の伝送を送信することができる。順方向リンク（またはダウンリンク）は、アクセスポイントから端末への通信リンクを意味し、逆方向リンク（またはアップリンク）は、端末からアクセスポイントへの通信リンクを意味する。
【００１９】
図２は、ＨＲＰＤにおいて順方向リンク上のＣＤＭをサポートする単一キャリアスロット構成２００を示している。送信時系列は、スロットへと区分される。各スロットは、１．６６７ミリ秒（ｍｓ）の存続時間を有し、２０４８チップに及ぶ。各チップは、１．２２８８メガチップ／秒（Ｍｃｐｓ）のチップレートについて８１３．８ナノ秒（ｎｓ）の存続時間を有する。各スロットは、２つの同一のハーフスロットに分割される。各ハーフスロットは、（ｉ）ハーフスロットの中心におけるパイロットセグメントと、パイロットセグメントの両側にある２つのメディアアクセス制御(Media Access Control)（ＭＡＣ）セグメントから構成されるオーバーヘッドセグメントと、（ｉｉ）オーバーヘッドセグメントの両側にある２つのトラフィックセグメントとを含む。トラフィックセグメントは、トラフィックチャネルセグメント、データセグメント、データフィールドなどと称されることもできる。パイロットセグメントは、パイロットを搬送し、９６チップの存続時間を有する。各ＭＡＣセグメントは、シグナリング（例えば、逆方向パワー制御(reverse power control)（ＲＰＣ）情報）を搬送し、６４チップの存続時間を有する。各トラフィックセグメントは、トラフィックデータ（例えば、特定の端末についてのユニキャストデータ、ブロードキャストデータなど）を搬送し、４００チップの存続時間を有する。
【００２０】
ＨＲＰＤ  Ｒｅｖ．０、ＡおよびＢは、トラフィックセグメントの中で送信されるデータについてＣＤＭを使用する。トラフィックセグメントは、アクセスポイントによってサーブされている１つまたは複数の端末についてＣＤＭデータを搬送することができる。各端末についてのトラフィックデータは、データシンボルを生成する端末から受信されるチャネルフィードバックによって決定される符号化パラメータおよび変調パラメータに基づいて処理されることができる。１つまたは複数の端末についてのデータシンボルは、トラフィックセグメントについてのＣＤＭデータを生成するために、逆多重化され、１６チップのウォルシュ関数(Walsh function)またはウォルシュコード(Walsh code)を用いてカバーされることができる。それ故に、ＣＤＭデータは、ウォルシュ関数を使用して時間ドメインにおいて生成される。ＣＤＭトラフィックセグメントは、ＣＤＭデータを搬送するトラフィックセグメントである。
【００２１】
トラフィックセグメントの中で送信されるデータについて、ＯＦＤＭおよび／または単一キャリア周波数分割多重化(single-carrier frequency division multiplexing)（ＳＣ−ＦＤＭ）を使用することが望ましい可能性がある。ＯＦＤＭとＳＣ−ＦＤＭは、使用可能な帯域幅を複数の直交サブキャリアへと区分し、これらの直交サブキャリアは、トーン、ビン(bin)などとも称される。各サブキャリアは、データを用いて変調されることができる。一般に、変調シンボルは、ＯＦＤＭを有する周波数ドメインの中で、そしてＳＣ−ＦＤＭを有する時間ドメインの中で送信される。ＯＦＤＭとＳＣ−ＦＤＭは、周波数選択フェーディングによって引き起こされるシンボル間干渉(intersymbol interference)（ＩＳＩ）を簡単に抑制しようとする能力など、ある種の望ましい特性を有する。ＯＦＤＭは、ＭＩＭＯおよびＳＤＭＡを効率的にサポートすることもでき、このＭＩＭＯおよびＳＤＭＡは、各サブキャリアに対して独立に適用されることができ、それ故に周波数選択チャネルにおいて良好な性能を実現することができる。明確にするために、データを送信するＯＦＤＭの使用が、以下で説明される。
【００２２】
ＨＲＰＤ  Ｒｅｖ．０、ＡおよびＢとの後方互換性を保持しながらＯＦＤＭをサポートすることが、望ましい可能性がある。ＨＲＰＤにおいて、パイロットセグメントとＭＡＣセグメントは、すべての時刻において、すべてのアクティブな端末によって復調されることができるのに対して、トラフィックセグメントは、サーブされている端末だけによって復調されることができる。それ故に、後方互換性は、パイロットセグメントとＭＡＣセグメントを保持することと、トラフィックセグメントを修正することとにより、達成されることができる。ＯＦＤＭデータは、与えられた４００チップのトラフィックセグメントにおけるＣＤＭデータを４００チップ以下の総存続時間を有する１つまたは複数のＯＦＤＭシンボルで置き換えることによりＨＲＰＤ波形で送信されることができる。
【００２３】
図３Ａは、ＨＲＰＤにおいてＯＦＤＭをサポートする単一キャリアスロット構成３００を示している。簡単にするために、たった１つのハーフスロットだけが、図３Ａに示される。ハーフスロットは、（ｉ）ハーフスロットの中心における９６チップのパイロットセグメントと、パイロットセグメントの両側にある２つの６４チップのＭＡＣセグメントから構成されるオーバーヘッドセグメントと、（ｉｉ）オーバーヘッドセグメントの両側にある２つのトラフィックセグメントとを含む。一般に、各トラフィックセグメントは、１つまたは複数のＯＦＤＭシンボルを搬送することができる。図３Ａに示される例においては、各トラフィックセグメントは、２つのＯＦＤＭシンボルを搬送し、各ＯＦＤＭシンボルは、２００チップの存続時間を有し、２００チップの１つのＯＦＤＭシンボル期間に送信される。
【００２４】
図３Ｂは、ＨＲＰＤにおいてＣＤＭとＯＦＤＭをサポートする単一キャリアスロット構成３０２を示している。ハーフスロットは、（ｉ）９６チップのパイロットセグメントと、２つの６４チップのＭＡＣセグメントから構成されるオーバーヘッドセグメントと、（ｉｉ）オーバーヘッドセグメントの両側にある２つのトラフィックセグメントとを含む。一設計においては、ＣＤＭまたはＯＦＤＭは、各トラフィックセグメントについて選択されることができる。この設計においては、各トラフィックセグメントは、ＣＤＭが選択される場合、ＣＤＭデータを搬送することができ、あるいはＯＦＤＭが選択される場合には、１つまたは複数のＯＦＤＭシンボルを搬送することができる。他の設計においては、トラフィックセグメントは、ＣＤＭデータとＯＦＤＭデータの両方を搬送することができる。例えば、トラフィックセグメントは、トラフィックセグメントの半分においてはＣＤＭデータを、そしてトラフィックセグメントの他の半分においては１つまたは複数のＯＦＤＭシンボルを搬送することができる。
【００２５】
一般に、ＯＦＤＭシンボルは、様々なＯＦＤＭシンボルヌメロロジーまたは設計に基づいて生成されることができる。各ＯＦＤＭシンボルヌメロロジーは、ＯＦＤＭシンボル存続時間、サブキャリアの数、巡回プレフィックス長(cyclic prefix length)などの関連パラメータについての特定の値に関連づけられる。ＯＦＤＭシンボル存続時間は、トラフィックセグメントを十分に利用するために４００チップのトラフィックセグメントの整数の除数であるべきである。さらに、ＯＦＤＭシンボルについてのサンプルレートは、アクセスポイントと端末における処理を簡単にするためにＣＤＭデータについてのチップレートの整数倍数であるべきである。
【００２６】
表１は、ＨＲＰＤについての３つの例のＯＦＤＭシンボルヌメロロジーをリストアップしている。これらのヌメロロジーは、ＨＲＰＤスロット構成およびチップレートと互換であるように選択され、その結果、（ｉ）整数の数のＯＦＤＭシンボルが、トラフィックセグメントの中で送信され、（ｉｉ）ＯＦＤＭシンボルについてのサンプルレートは、ＣＤＭデータについてのチップレートの整数倍数となる。ヌメロロジーはさらに、離散フーリエ変換(discrete Fourier transform)（ＤＦＴ）サイズを決定するサブキャリアの総数が、ＯＦＤＭシンボルの効率的な生成を可能にするように、選択される。これらのヌメロロジーでは、サブキャリアの総数は、２の累乗ではなくて、小さな素因数(prime factor)を有する。例えば、９０個のサブキャリアは、２、３、３、および５の素因数を用いて取得されることができる。小さな素因数により、効率的な混合基底(mixed-radix)高速フーリエ変換(fast Fourier transform)（ＦＦＴ）インプリメンテーションが、ＯＦＤＭシンボルを生成することができるようになる。表１に示されるヌメロロジーにより、ＨＲＰＤ波形へのＯＦＤＭデータの効率的な埋込みが可能になる。
【表１】
0005893691.tif 000002
【００２７】
表１におけるＯＦＤＭシンボルヌメロロジーのうちの任意のものが、トラフィックセグメントにおけるＯＦＤＭデータでＣＤＭデータを置き換えるために使用されることができる。これらのＯＦＤＭシンボルヌメロロジーは、ドップラー拡散とマルチパス遅延の許容範囲に関して異なるトレードオフを提供する。ヌメロロジー１は、ヌメロロジー２および３と比べて最大のサブキャリア間隔と最も短い巡回プレフィックスを有する。それ故に、ヌメロロジー１は、（より大きなサブキャリア間隔に起因した）よりよいドップラー許容範囲を提供することができ、（より短い巡回プレフィックスに起因した）より低い遅延許容範囲を犠牲にして高速媒体チャネル(high-speed vehicular channel)における高スペクトル効率を可能にすることができる。ヌメロロジー３は、ヌメロロジー１および２と比べて、最も小さいサブキャリア間隔と、最も長い巡回プレフィックスとを有する。それ故に、ヌメロロジー３は、（より小さなサブキャリア間隔に起因した）より低いドップラー許容範囲で、但し（より長い巡回プレフィックスに起因した）より高い遅延許容範囲を提供することができ、これは、リピータ(repeater)によって引き起こされる遅延など、大きなマルチパス遅延の存在するところにおいて高いスペクトル効率を可能にすることもある。
【００２８】
他のＯＦＤＭシンボルヌメロロジーが、トラフィックセグメントについて使用されることもできる。一般に、ＯＦＤＭシンボルヌメロロジーは、（ｉ）ＯＦＤＭシンボル存続時間とサンプルレートが、それぞれＨＲＰＤスロットフォーマットとチップレートと互換であるように、そして（ｉｉ）ＤＦＴサイズが、効率的なＯＦＤＭシンボル生成を可能にするように選択されることができる。次いで、これは、効率的で後方互換になるようにＨＲＰＤ順方向リンク波形におけるＣＤＭデータのＯＦＤＭデータとの置換を可能にすることができる。ＣＤＭデータは、各トラフィックセグメントの中で選択的にＯＦＤＭデータと置き換えられることができる。オーバーヘッドセグメントは、後方互換性のために保持されることができる。
【００２９】
一設計においては、固定されたＯＦＤＭシンボルヌメロロジーが、ＯＦＤＭデータを搬送するすべてのトラフィックセグメントについて使用される。端末は、先験的にこのＯＦＤＭシンボルヌメロロジーを知ることができ、ヌメロロジー上でどのようなシグナリングを伝えることもなく、ＯＦＤＭデータを復調することができる可能性がある。
【００３０】
別の設計においては、構成可能なＯＦＤＭシンボルヌメロロジーが、ＯＦＤＭデータを搬送する与えられたトラフィックセグメントについて使用されることができる。１組のヌメロロジー（例えば、表１にリストアップされるヌメロロジー）が、サポートされることができる。異なるヌメロロジーが、異なる端末について使用されることができる。適切なヌメロロジーが、その端末のチャネル状態に基づいて各端末について選択されることができる。例えば、ヌメロロジー１は、高速で移動する端末について使用されることができ、ヌメロロジー３は、大きなマルチパス遅延拡散を有する端末について使用されることができ、そしてヌメロロジー２は、適度な速度および／または適度なマルチパス遅延拡散を有する端末について使用されることができる。
【００３１】
図４は、ＨＲＰＤにおいてＣＤＭをサポートするマルチキャリアスロット構成４００を示している。ＨＲＰＤ  Ｒｅｖ．Ｂにおいて、複数の１×ＨＲＰＤ波形は、与えられたスペクトル割付けを満たすマルチキャリアＨＲＰＤ波形を取得するために周波数ドメインにおいて多重化されることができる。図４に示される例において、３つのＨＲＰＤキャリア１、２および３についての３つの１×ＨＲＰＤ波形は、５ＭＨｚスペクトル割付けにおいて周波数多重化される。各１×ＨＲＰＤ波形は、異なるキャリアについて生成され、約１．２５ＭＨｚを占有する。３つの１×ＨＲＰＤ波形は、約３×１．２５＝３．７５ＭＨｚを占有し、これは、５ＭＨｚスペクトル割付けの両方のエッジに比較的大きな保護帯域を残すことができる。隣接するキャリアの間の間隔は、ＨＲＰＤにおいて指定されないが、一般的には隣接する１×ＨＲＰＤ波形の間の小さな遷移帯域を提供するように選択される。
【００３２】
図４に示されるように、マルチキャリアＨＲＰＤ波形は、各ハーフスロットにおける３つのキャリアについて３つのオーバーヘッドセグメントと６つのトラフィックセグメントを含む。各トラフィックセグメントは、図４に示されるように、ＣＤＭデータを搬送することができる。マルチキャリアＨＲＰＤ波形における各トラフィックセグメントにおけるＣＤＭデータは、ＯＦＤＭデータで選択的に置き換えられることができる。さらに、マルチキャリアＨＲＰＤ波形におけるトラフィックセグメントとオーバーヘッドセグメントは、スペクトル割付けを効率的に利用するように構成されることができる。
【００３３】
図５は、ＨＰＲＤにおいてＣＤＭおよびＯＦＤＭをサポートするマルチキャリアスロット構成５００を示している。図５に示される例においては、３つのＨＲＰＤキャリアは、５ＭＨｚスペクトル割付けにおいて送信され、帯域幅利用を改善するためにできる限り近くに間隔をおいて配置される。各ＨＲＰＤキャリアについて、各ハーフスロットは、（ｉ）パイロットセグメントとＭＡＣセグメントから構成されるオーバーヘッドセグメントと、（ｉｉ）オーバーヘッドセグメントの両側にある２つのトラフィックセグメントを含む。ＨＲＰＤキャリア１は、オーバーヘッドセグメントの左および右にトラフィックセグメント（ＴＳ）１ａおよび１ｂを含み、ＨＲＰＤキャリア２は、オーバーヘッドセグメントの左および右にトラフィックセグメント２ａおよび２ｂを含み、ＨＲＰＤキャリア３は、オーバーヘッドセグメントの左および右にトラフィックセグメント３ａおよび３ｂを含んでいる。各ＨＲＰＤキャリアについての各トラフィックセグメントは、ＣＤＭデータまたはＯＦＤＭデータを搬送することができる。
【００３４】
５ＭＨｚスペクトル割付けにおいて多くても３つのＨＲＰＤキャリア（おのおのが概略１．２５ＭＨｚに及ぶ）を展開することが、通例である。５ＭＨｚスペクトル割付けにおいて４番目のＨＲＰＤキャリアに対応することは、実際的ではなく、これは、ＨＲＰＤシステムと、５ＭＨｚ割付けの外側に展開されることができる互換性のないシステムとの間にあまりにも小さな保護帯域を残すことになるからである。他方、３つのＨＲＰＤキャリアでは、５ＭＨｚスペクトル割付けのうちの約３．７５ＭＨｚだけが、システムにより実際に利用され、概略１．２５ＭＨｚの保護帯域を意味している。この保護帯域サイズは、一部の場合においてはあまりにも大きすぎる可能性があり、これは、マルチキャリアシステムが、使用可能なスペクトルのその使用において非効率的であることを意味する。この制限は、上記される技法を拡張することにより克服されることができる。５ＭＨｚスペクトル割付けにおける３−キャリアＨＲＰＤでは、ＯＦＤＭシンボルは、図５に示されるようにｎ＝４の場合に４×１．２２８８＝４．９１５２Ｍｃｐｓのサンプルレートで生成されることができる。ＯＦＤＭシンボルは、そのときには５ＭＨｚスペクトル割付けのほとんどを占有することができる。代わりに、ＯＦＤＭシンボルは、ｎ＝３の場合に３×１．２２８８＝３．６８６４Ｍｃｐｓのサンプルレートで生成されることもでき、これは、図５に示されてはいない。
【００３５】
ＯＦＤＭシンボルは、トラフィック期間における各ＯＦＤＭシンボル期間にわたって生成されることができる。各ＯＦＤＭシンボル期間は、表１におけるＯＦＤＭシンボルヌメロロジー２を有する２００個のチップである。ＯＦＤＭシンボルは、（ｉ）ＯＦＤＭのために使用されるトラフィックセグメントに対応するサブキャリアと、（ｉｉ）スペクトル割付けの両方のエッジにおける残りの使用可能なサブキャリアの上で、ＯＦＤＭデータを搬送することができる。ＯＦＤＭシンボルは、ＣＤＭデータを有するトラフィックセグメントに対応するサブキャリア上でゼロにされる(nulled out)こともできる。それ故に、ＯＦＤＭシンボルは、ゼロ個以上のＨＲＰＤキャリアについてのゼロ個以上のトラフィックセグメントの中でＣＤＭデータを選択的に置き換えることができるＯＦＤＭデータを搬送することができる。ＯＦＤＭは、５ＭＨｚスペクトル割付けにおける使用可能なスペクトルのよりよい利用を可能にする。
【００３６】
ＨＲＰＤキャリアの間の間隔は、ＣＤＭのために使用されるパルス整形フィルタ(pulse shaping filter)、ＣＤＭデータおよび／またはＯＦＤＭデータが生成される方法など、様々なファクタに基づいて選択されることができる。送信のないサブキャリアである保護サブキャリアは、スペクトル割付けの両方のエッジにおいて使用されることができる。帯域エッジにおける保護サブキャリアの数は、スプリアス放射要件および／または他のファクタに基づいて選択されることができる。
【００３７】
図６は、ＨＲＰＤにおいてＣＤＭおよびＯＦＤＭをサポートし、使用可能な帯域幅をより十分に利用するマルチキャリアスロット構成６００を示している。スロット構成６００は、図５のスロット構成５００におけるトラフィックセグメントとオーバーヘッドセグメントのすべてを含んでいる。スロット構成６００は、２２４チップのオーバーヘッド期間におけるパイロットセグメントまたはＭＡＣセグメントのために使用されないスペクトル部分にＯＦＤＭデータをさらに含んでいる。
【００３８】
追加のＯＦＤＭシンボルヌメロロジーは、パイロットセグメントとＭＡＣセグメントをカバーする２２４チップのオーバーヘッド期間にわたって定義されることができる。これらのヌメロロジーは、（ｉ）整数の数のＯＦＤＭシンボルがオーバーヘッド期間に送信されることができ、そして（ｉｉ）ＯＦＤＭシンボルについてのサンプルレートが、チップレートの整数倍数であるように選択されることができる。表２は、オーバーヘッド期間についての２つの例のＯＦＤＭシンボルヌメロロジーをリストアップしている。オーバーヘッド期間に送信されるＯＦＤＭシンボルは、それらの存続時間が、表１における対応するヌメロロジーを有するトラフィック期間に送信される「通常」ＯＦＤＭシンボルの存続時間よりも長いので、「長い」ＯＦＤＭシンボルと称される。
【表２】
0005893691.tif 000003
【００３９】
他のＯＦＤＭシンボルヌメロロジーが、オーバーヘッド期間にわたって使用されることもできる。一般に、ＯＦＤＭシンボルヌメロロジーは、（ｉ）ＯＦＤＭシンボル存続時間とサンプルレートとが、それぞれＨＲＰＤスロットフォーマットとチップレートと互換性があるように、そして（ｉｉ）ＤＦＴサイズが、効率的なＯＦＤＭシンボル生成を可能にするように選択されることができる。
【００４０】
ＯＦＤＭシンボルは、以下で説明されるようにオーバーヘッド期間における各ＯＦＤＭシンボル期間にわたって生成されることができる。ＯＦＤＭシンボルは、パイロットセグメントとＭＡＣセグメントのために使用されない、帯域幅の部分に対応するサブキャリアにおいてＯＦＤＭデータを搬送することができる。ＯＦＤＭシンボルは、パイロットセグメントとＭＡＣセグメントに対応するサブキャリア上でゼロにされることができる。全体的なスペクトル利用は、オーバーヘッド期間における１つまたは複数の長いＯＦＤＭシンボルを使用することにより改善されることができる。
【００４１】
図５および６に示される設計において、４つの論理チャネルＣｈ１、Ｃｈ２、Ｃｈ３およびＣｈ４が、トラフィックセグメントについて定義されることができる。これらの論理チャネルは、データチャネル、トラフィックチャネルなどと称されることもできる。論理チャネルＣｈ１は、ＨＲＰＤキャリア１上で送信されるトラフィックセグメント１ａおよび１ｂを含むことができ、論理チャネルＣｈ２は、ＨＲＰＤキャリア２上で送信されるトラフィックセグメント２ａおよび２ｂを含むことができ、論理チャネルＣｈ３は、ＨＲＰＤキャリア３上で送信されるトラフィックセグメント３ａおよび３ｂを含むことができ、論理チャネルＣｈ４は、残りの使用可能なスペクトル上で送信されるトラフィックセグメント４ａ、４ｂおよび４ｃを含むことができる。したがって、論理チャネルＣｈ１、Ｃｈ２およびＣｈ３は、それぞれＨＲＰＤキャリア１、２、および３とオーバーラップするサブキャリアに対応する。論理チャネルＣｈ１、Ｃｈ２およびＣｈ３は、各スロット、各ハーフスロットなどにおいて、ＣＤＭとＯＦＤＭとの間で切り換わることができる。論理チャネルＣｈ４は、関連するＨＲＰＤキャリアを有さず、帯域幅利用を改善するために使用されることができる。論理チャネルＣｈ４は、各論理サブチャネルがサブキャリアの連続した組を含む、２つの論理サブチャネル、例えば下位Ｃｈ４と上位Ｃｈ４に区分されることもできる。論理チャネルは、独立にスケジュールされることができる。例えば、各論理チャネルは、その論理チャネルについて端末から受信されるチャネル品質フィードバックに基づいてスケジュールされることができる。
【００４２】
一般に、任意数のＨＲＰＤキャリアが、与えられたスペクトル割付けにおいて送信されることができる。各ＨＲＰＤキャリアでは、各トラフィックセグメントは、ＣＤＭデータまたはＯＦＤＭデータを搬送することができる。ＯＦＤＭデータは、ＨＲＰＤキャリアによって使用されない残りの使用可能なスペクトルにおいて送信されることもできる。
【００４３】
図７は、５ＭＨｚスペクトル割付けにおける単一ＨＲＰＤキャリアについてＯＦＤＭおよびＣＤＭをサポートするスロット構成７００を示している。図７に示される例においては、単一ＨＲＰＤキャリアは、５ＭＨｚスペクトル割付けの１つのエッジの近くに配置される。ＨＲＰＤキャリアについてのパイロットセグメントとＭＡＣセグメントは、図２から６において上記されるようにハーフスロットの中心において生成され送信される。ＨＲＰＤキャリアの各トラフィックセグメントは、ＣＤＭデータまたはＯＦＤＭデータを搬送することができる。
【００４４】
ＯＦＤＭスペクトルは、ＨＲＰＤキャリアを除いてスペクトル割付けにおけるすべての使用可能なスペクトルを含むように定義されることができる。図７に示される例においては、ＯＦＤＭスペクトルは、ＨＲＰＤキャリアの両側の使用可能なスペクトルを含んでいる。通常のＯＦＤＭシンボルと、長いＯＦＤＭシンボルとは、ＯＦＤＭスペクトルにおけるデータを搬送するために拡張され、使用されることができる。トラフィックデータ、シグナリングおよびパイロットは、例えば、まさしくＯＦＤＭまたはＯＦＤＭＡを使用したシステムにおいて一般的に使用される任意の技法を使用して任意の方法でＯＦＤＭスペクトルにおいて送信されることができる。例えば、パイロットおよびシグナリングは、任意のサブキャリアとシンボル期間上で任意の方法で送信されることができる。使用可能なサブキャリアとシンボル期間は、任意の数の端末に対して割り付けられることもでき、データは、任意の方法でスケジュールされた端末に送信されることができる。
【００４５】
図７に示される設計においては、２つの論理チャネルＣｈ１およびＣｈ２が、定義される。論理チャネルＣｈ１は、ＨＲＰＤキャリア１上で送信されるトラフィックセグメント１ａおよび１ｂを含み、論理チャネルＣｈ２は、ＯＦＤＭスペクトル上で送信されるトラフィックセグメント２ａから２ｆを含んでいる。論理チャネルＣｈ１は、各スロット、各ハーフスロットなどにおいてＣＤＭとＯＦＤＭとの間で切り換わることができる。論理チャネルＣｈ２は、どのＨＲＰＤキャリアにも縛られず、まさしくＯＦＤＭデータを搬送するために純粋なＯＦＤＭモードで動作させられることができる。トラフィックデータ、シグナリング、および／またはパイロットは、論理チャネルＣｈ２上で任意の方法でＯＦＤＭを用いて送信されることができる。
【００４６】
図８は、５ＭＨｚスペクトル割付けにおいてＯＦＤＭをサポートするＨＲＰＤスロット構成８００を示している。図８に示される例においては、スペクトル割付けは、ＨＲＰＤキャリアを含んでいない。通常のＯＦＤＭシンボルと、長いＯＦＤＭシンボルとは、帯域エッジにおける保護サブバンドを除いて、全体の使用可能なスペクトルにおいてデータを送信するために使用されることができる。論理チャネルＣｈ１は、全体の使用可能なスペクトルをカバーするように定義されることができる。論理チャネルＣｈ１は、まるでそれがＯＦＤＭ／ＯＦＤＭＡシステムのためであるかのように動作させられることができ、フラッシュＯＦＤＭ（登録商標）(Flash OFDM)、ＩＥＥＥ８０２．２０、ＬＴＥなど、他のＯＦＤＭ／ＯＦＤＭＡ技術からの設計要素を組み込むことができる。論理チャネルＣｈ１における時間周波数リソースは、トラフィックデータのために使用されるトラフィックリソース、シグナリングのために使用されるシグナリングリソース、パイロットのために使用されるパイロットリソースなどへと区分されることができる。シグナリングリソースは、端末をスケジュールするために、そしてスケジュールされた端末に対してトラフィックリソースを割り当てるために使用されることができる。シグナリングリソースは、ハイブリッド自動再送信(hybrid automatic retransmission)（Ｈ−ＡＲＱ）フィードバック、パワー制御などを容易にするために使用されることもできる。フラッシュＯＦＤＭ（登録商標）システム、ＩＥＥＥ８０２．２０システム、ＬＴＥシステム、および／または他のＯＦＤＭ／ＯＦＤＭＡシステムについての様々な構成要素および物理レイヤ機能が、論理チャネルＣｈ１のために使用されることができる。
【００４７】
図９は、アクセスポイント１１０および端末１２０の設計のブロック図を示しており、これらは、図１における複数のアクセスポイントおよび端末のうちの１つである。簡単にするために、順方向リンク上での送信のための処理装置だけが、図９においては示される。
【００４８】
アクセスポイント１１０において、ＴＸ  ＣＤＭ／ＯＦＤＭプロセッサ９２０は、以下に説明されるようにトラフィックデータとシグナリングを受信し処理し、そして出力サンプルを供給する。トランスミッタ(transmitter)（ＴＭＴＲ）９２２は、出力サンプルを処理し（例えば、アナログへと変換し、増幅し、フィルタをかけ、そして周波数アップコンバートし）、順方向リンク信号を生成し、この順方向リンク信号は、アンテナ９２４を経由して送信される。端末１２０において、アンテナ９５２は、アクセスポイント１１０から順方向リンク信号を受信し、受信信号をレシーバ(receiver)（ＲＣＶＲ）９５４に対して供給する。レシーバ９５４は、受信信号を処理し（例えば、フィルタをかけ、増幅し、周波数ダウンコンバートし、そしてデジタル化し）、受信サンプルを供給する。ＲＸ  ＣＤＭ／ＯＦＤＭプロセッサ９６０は、以下に説明されるようにＴＸ  ＣＤＭ／ＯＦＤＭプロセッサ９２０による処理と相補的な方法で受信サンプルを処理し、端末１２０についての復号化データおよび受信シグナリングを供給する。
【００４９】
コントローラ９３０および９７０は、それぞれアクセスポイント１１０および端末１２０においてオペレーションを指示する。メモリ９３２および９７２は、それぞれアクセスポイント１１０および端末１２０についてのプログラムコードとデータを記憶する。
【００５０】
図１０は、図１におけるＴＸ  ＣＤＭ／ＯＦＤＭプロセッサ９２０の一設計であるＴＸ
ＣＤＭ／ＯＦＤＭプロセッサ９２０ａのブロック図を示している。プロセッサ９２０ａは、（ｉ）ＣＤＭデータとオーバーヘッドデータを搬送するＣＤＭ波形を生成するＣＤＭプロセッサ１０１０と、（ｉｉ）ＯＦＤＭデータを搬送するＯＦＤＭ波形を生成するＯＦＤＭプロセッサ１０５０とを含む。
【００５１】
ＣＤＭプロセッサ１０１０内において、エンコーダ／インタリーバ(interleaver)１０１２は、ＣＤＭを使用して送信されるべきトラフィックデータを受信し、符号化スキームに基づいてトラフィックデータを符号化し、そして符号化されたデータをインタリーブ（または再編成）する。シンボルマッパ１０１４は、変調スキームに基づいてインタリーブされたデータをデータシンボルに対してマッピングする。デマルチプレクサ(demultiplexer)（Ｄｅｍｕｘ）１０１６は、データシンボルを複数の（例えば、１６個の）ストリームへと逆多重化する。ウォルシュカバーユニット(Walsh cover unit)１０１８は、対応するデータチップストリームを取得するために異なる１６チップのウォルシュコードを用いて各データシンボルストリームをカバーし、あるいはチャネル化する。加算器１０２０は、複数のウォルシュコードについての複数の（例えば、１６個の）データチップストリームを加算し、チップレートでＣＤＭデータを供給する。ＴＸオーバーヘッドプロセッサ１０２２は、ＭＡＣセグメントについてのシグナリングと、パイロットセグメントについてのパイロットデータを受信し、オーバーヘッドセグメントについてチップレートでオーバーヘッドデータを生成する。ＴＤＭマルチプレクサ(multiplexer)（Ｍｕｘ）１０２４は、加算器１０２０からのＣＤＭデータと、プロセッサ１０２２からのオーバーヘッドデータとを受け取り、ＣＤＭデータを搬送するトラフィックセグメントの中でＣＤＭデータを供給し、オーバーヘッドセグメントの中でオーバーヘッドデータを供給する。乗算器１０２６は、アクセスポイントについての擬似雑音(pseudo-noise)（ＰＮ）シーケンスと、ＴＤＭマルチプレクサ１０２４の出力を乗算し、チップレートで出力チップを供給する。パルス整形フィルタ１０２８は、出力チップにフィルタをかけ、１つのＨＲＰＤキャリアについてのＣＤＭ波形を提供する。複数のＨＲＰＤキャリアについての複数のＣＤＭ波形は、ＣＤＭプロセッサ１０１０の複数のインスタンスを用いて生成されることができる。これらの複数のＣＤＭ波形は、デジタルドメインまたはアナログドメインにおいて、適切な周波数へとアップコンバートされることができる。
【００５２】
ＯＦＤＭプロセッサ１０５０内において、エンコーダ／インタリーバ１０５２は、ＯＦＤＭを使用して送信されるべきトラフィックデータを受信し、符号化スキームに基づいてトラフィックデータを符号化し、そして符号化されたデータをインタリーブする。シンボルマッパ１０５４は、インタリーブされたデータをデータシンボルに対してマッピングする。シンボルツーサブキャリアマッパ(symbol-to-subcarrier mapper)１０５６は、ＯＦＤＭのために使用されるサブキャリアに対してデータシンボルをマッピングする。ゼロ挿入ユニット(zero insertion unit)１０５８は、ＯＦＤＭのために使用されないサブキャリア、例えば、ＣＤＭトラフィックセグメントおよびオーバーヘッドセグメントに対応するサブキャリア、ヌルサブキャリア、および保護サブキャリア(guard subcarrier)に対してゼロシンボル（これはゼロの信号値を有する）を挿入する。逆離散フーリエ変換(inverse discrete Fourier transform)（ＩＤＦＴ）ユニット１０６０は、各ＯＦＤＭシンボル期間においてＫ個の総サブキャリアについてデータシンボルおよびゼロシンボルに対してＫポイントのＩＤＦＴを実行し、Ｋ個の時間ドメインサンプルを含む有用な部分を提供する。Ｋは、ＯＦＤＭシンボルヌメロロジーに依存しており、通常のＯＦＤＭシンボルと長いＯＦＤＭシンボルについて表１および２に与えられる。巡回プレフィックス挿入ユニット(cyclic prefix insertion unit)１０６２は、有用な部分のうちの最後のＣ個のサンプルをコピーし、サンプルレートでＫ＋Ｃ個のサンプルを含むＯＦＤＭシンボルを形成するために有用な部分の前部にこれらのＣ個のサンプルを追加する。サンプルレートは、チップレートのｎ倍とすることができ、ここでｎは、１、２、３、４などと等しくすることができる。反復される部分は、巡回プレフィックスと称され、周波数選択的フェーディング (frequency selective fading)によって引き起こされるＩＳＩを抑制しようとするために使用される。ウィンドウィング／パルス整形フィルタ(windowing/pulse shaping filter)１０２８は、ユニット１０６２からのサンプルをウ
ィンドウ化し(window)、それらのサンプルにフィルタをかけ、ＯＦＤＭ波形を提供する。加算器１０７０は、ＣＤＭプロセッサ１０１０からのＣＤＭ波形とＯＦＤＭプロセッサ１０５０からのＯＦＤＭ波形とを加算し、出力波形を提供する。
【００５３】
図１１は、図１におけるＴＸ  ＣＤＭ／ＯＦＤＭプロセッサ９２０の別の設計であるＴＸ  ＣＤＭ／ＯＦＤＭプロセッサ９２０ｂのブロック図を示している。プロセッサ９２０ｂは、ＣＤＭのために使用されるサブキャリアに対してＣＤＭデータをマッピングし、ＯＦＤＭのために使用されるサブキャリアに対してＯＦＤＭデータをマッピングする。次いでプロセッサ９２０ｂは、マッピングされたＣＤＭデータおよびＯＦＤＭデータに基づいて出力波形を生成する。
【００５４】
プロセッサ９２０ｂ内において、ＴＸ  ＣＤＭプロセッサ１１１０は、ＣＤＭを使用して送信されるべきトラフィックデータと、シグナリングと、パイロットを受信し、処理し、そして出力チップを供給する。プロセッサ１１１０は、図１０におけるユニット１０１２から１０２６を含むことができる。ＤＦＴユニット１１１２は、各ＯＦＤＭシンボル期間における出力チップに対してＬポイントのＤＦＴを実行し、Ｌ個のサブキャリアについてのＬ個の周波数ドメインシンボルを供給する。Ｌは、ＨＲＰＤキャリアに対応するサブキャリアの数であり、ＯＦＤＭシンボルヌメロロジーに依存する可能性がある。
【００５５】
エンコーダ／インタリーバ１１２０およびシンボルマッパ１１２２は、ＯＦＤＭを使用して送信されるべきトラフィックデータを処理し、データシンボルを供給する。シンボルツーサブキャリアマッパ１１３０は、ＤＦＴユニット１１１２からの周波数ドメインシンボルをＣＤＭのために使用されるサブキャリアに対してマッピングし、さらにシンボルマッパ１１２２からのデータシンボルをＯＦＤＭのために使用されるサブキャリアに対してマッピングする。ゼロ挿入ユニット１１３２は、ＣＤＭまたはＯＦＤＭのために使用されないサブキャリア、例えば、ヌルサブキャリアおよび保護サブキャリアに対してゼロシンボルを挿入する。ＩＤＦＴユニット１１３４は、各ＯＦＤＭシンボル期間についてＫ個のシンボルに対してＫポイントのＩＤＦＴを実行し、Ｋ個の時間ドメインサンプルを含む有用な部分を提供する。巡回プレフィックス挿入ユニット１１３６は、有用な部分に対して巡回プレフィックスを挿入し、サンプルレートでＫ＋Ｃ個のサンプルを含むＯＦＤＭシンボルを供給する。ウィンドウィング／パルス整形フィルタ１１３８は、ユニット１１３６からのサンプルをウィンドウ化し、それらのサンプルにフィルタをかけ、出力波形を提供する。フィルタ１１３６は、図１０におけるフィルタ１０２８よりも急なスペクトルロールオフ(spectral roll-off)を提供することができ、このスペクトルロールオフは、スペクトル割付けのよりよい利用を可能にすることができる。
【００５６】
図１２は、図９におけるＲＸ  ＣＤＭ／ＯＦＤＭプロセッサ９６０の一設計であるＲＸ
ＣＤＭ／ＯＦＤＭプロセッサ９６０ａのブロック図を示している。プロセッサ９６０ａは、図１０におけるＴＸ  ＣＤＭ／ＯＦＤＭプロセッサ９２０ａによって生成される出力波形を受け取るために使用されることができる。
【００５７】
ＣＤＭデータを回復するために、フィルタ１２１２は、レシーバ９５４からの受信サンプルを取得し、対象となるＨＲＰＤキャリアの外側のスペクトル成分を除去するために受信サンプルにフィルタをかけ、サンプルレートからチップレートへの変換を実行し、フィルタがかけられたチップを供給する。乗算器１２１４は、アクセスポイントによって使用されるＰＮシーケンスと、フィルタがかけられたチップを乗算し、入力チップを供給する。ＴＤＭデマルチプレクサ１２１６は、パイロットセグメントについての入力チップをチャネル推定器(channel estimator)１２１８に対して供給し、ＭＡＣセグメントについての入力チップをＲＸオーバーヘッドプロセッサ１２２０に対して供給し、そしてＣＤＭデータを搬送するトラフィックセグメントについての入力チップをウォルシュデカバーユニット(Walsh decover unit)１２２２に対して供給する。チャネル推定器１２１８は、受信パイロットに基づいてチャネル推定値を導き出す。ユニット１２２２は、ＣＤＭデータのために使用される各ウォルシュコードについての入力サンプルをデカバーし(decover)、または逆チャネル化し(dechannelize)、受信シンボルを供給する。マルチプレクサ１２２４は、すべてのウォルシュコードについて受信シンボルを多重化する。データ復調器(demodulator)（Ｄｅｍｏｄ）１２２６は、チャネル推定値を用いて受信シンボルに対するコヒーレントな検出を実行し、データシンボル推定値を供給し、これらのデータシンボル推定値は、ＣＤＭを用いて送信されるデータシンボルの推定値である。デインタリーバ／デコーダ(deinterleaver/decoder)１２２８は、データシンボル推定値を逆インタリーブし、復号化し、そしてＣＤＭについての復号化データを供給する。ＲＸオーバーヘッドプロセッサ１２２０は、ＭＡＣセグメントについての入力チップを処理し、受信シグナリングを供給する。
【００５８】
ＯＦＤＭデータを回復するために、巡回プレフィックス除去ユニット(cyclic prefix removal unit)１２５２は、各ＯＦＤＭシンボル期間においてＫ＋Ｃ個の受信サンプルを取得し、巡回プレフィックスを除去し、有用な部分についてのＫ個の受信サンプルを供給する。ＤＦＴユニット１２５４は、Ｋ個の受信サンプルに対してＫポイントのＤＦＴを実行し、Ｋ個の総サブキャリアについてのＫ個の受信シンボルを供給する。シンボルツーサブキャリアデマッパ(symbol-to-subcarrier demapper)１２５６は、Ｋ個の総サブキャリアについての受信シンボルを取得し、ＯＦＤＭのために使用されるサブキャリアについての受信データシンボルをデータ復調器(data demodulator)１２５８に対して供給し、そして受信パイロットシンボルをチャネル推定器１２１８に対して供給することができる。データ復調器１２５８は、チャネル推定器１２１８からのチャネル推定値を用いて受信データシンボルに対するデータ検出（例えば、マッチドフィルタリング(matched filtering)、等化など）を実行し、データシンボル推定値を供給し、これらのデータシンボル推定値は、ＯＦＤＭを用いて送信されるデータシンボルの推定値である。デインタリーバ／デコーダ１２６０は、データシンボル推定値を逆インタリーブし、復号化し、そしてＯＦＤＭについての復号化データを供給する。
【００５９】
図１３は、図９におけるＲＸ  ＣＤＭ／ＯＦＤＭプロセッサ９６０の別の設計であるＲＸ  ＣＤＭ／ＯＦＤＭプロセッサ９６０ｂのブロック図を示している。プロセッサ９６０ｂは、図１１におけるＴＸ  ＣＤＭ／ＯＦＤＭプロセッサ９２０ｂによって生成される出力波形を受け取るために使用されることができる。プロセッサ９６０ｂ内において、巡回プレフィックス除去ユニット１３１２は、各ＯＦＤＭシンボル期間においてＫ＋Ｃ個の受信サンプルを取得し、巡回プレフィックスを除去し、有用な部分についてのＫ個の受信サンプルを供給する。ＤＦＴユニット１３１４は、Ｋ個の受信サンプルに対してＫポイントのＤＦＴを実行し、Ｋ個の総サブキャリアについてのＫ個の受信シンボルを供給する。シンボルツーサブキャリアデマッパ１３１６は、Ｋ個の総サブキャリアについての受信シンボルを取得し、ＣＤＭのために使用されるサブキャリアについての受信シンボルをＩＤＦＴユニット１３２０に対して供給し、ＯＦＤＭのために使用されるサブキャリアについての受信シンボルをデータ復調器１３３０に対して供給する。
【００６０】
ＣＤＭデータを回復するために、ＩＤＦＴユニット１３２０は、ＯＦＤＭシンボル期間においてＣＤＭのために使用されるサブキャリアについてのＬ個の受信シンボルに対してＬポイントのＩＤＦＴを実行し、Ｌ個の時間ドメインサンプルを供給する。ＲＸ  ＣＤＭプロセッサ１３２２は、時間ドメインサンプルを処理し、ＣＤＭについての受信シグナリングと復号化データを供給する。プロセッサ１３２２は、図１２におけるユニット１２１４から１２２８を含むことができる。ＯＦＤＭデータを回復するために、データ復調器１３３０は、チャネル推定値を用いてデマッパ１３１６からの受信サンプルに対するデータ検出を実行し、データシンボル推定値を供給する。デインタリーバ／デコーダ１３３２は、データシンボル推定値を逆インタリーブし、復号化し、そしてＯＦＤＭについての復号化データを供給する。
【００６１】
明確にするために、本技法の様々な態様が、ＨＲＰＤシステムにおけるＣＤＭおよびＯＦＤＭを用いた順方向リンク送信について特に説明されてきている。本技法は、例えば、ＣＤＭおよびＳＣ−ＦＤＭ、ＣＤＭおよびＴＤＭならびにＯＦＤＭ、ＴＤＭおよびＯＦＤＭなどの多重化スキームの他の組合せについて使用されることもできる。本技法は、他のワイヤレス通信システムのために、そして順方向リンクと逆方向リンクの両方のために使用されることもできる。
【００６２】
図１４は、選択可能なＣＤＭおよびＯＦＤＭを用いてトラフィックセグメントの中でデータを送信するためのプロセス１４００を示している。ＣＤＭまたはＯＦＤＭは、少なくとも１つのトラフィックセグメントのおのおのについて選択されることができる（ブロック１４１２）。各トラフィックセグメントは、特定の時間および周波数のリソースに対応することができ、１つまたは複数の特定の端末に対して送信されるユニキャストデータについてＣＤＭデータまたはＯＦＤＭデータを搬送することができる。オーバーヘッドデータを有する少なくとも１つのオーバーヘッドセグメントが、生成されることができる（ブロック１４１４）。各トラフィックセグメントが、ＣＤＭがトラフィックセグメントについて選択される場合にはＣＤＭデータを搬送し、あるいはＯＦＤＭがトラフィックセグメントについて選択される場合にはＯＦＤＭデータを搬送して、少なくとも１つのトラフィックセグメントと少なくとも１つのオーバーヘッドセグメントから構成される出力波形が、生成されることができる（ブロック１４１６）。
【００６３】
単一キャリアでは、ＣＤＭまたはＯＦＤＭは、ハーフスロットにおける第１および第２のトラフィックセグメントのおのおのについて選択されることができる。第１および第２のトラフィックセグメントとオーバーヘッドセグメントから構成される出力波形は、ハーフスロットについて、例えば、図３Ｂに示されるように生成されることができる。複数のキャリアでは、ＣＤＭまたはＯＦＤＭは、複数のキャリアについての複数のトラフィックセグメントのおのおのについて選択されることができる。オーバーヘッドデータを有する複数のオーバーヘッドセグメントが、複数のキャリアについて生成されることもできる。複数のキャリアについて複数のトラフィックセグメントと複数のオーバーヘッドセグメントから構成される出力波形は、例えば、図５から７に示されるように生成されることができる。
【００６４】
単一キャリアと複数のキャリアの両方では、出力波形は、例えば、図１０に示されるように、（ｉ）ＣＤＭデータを搬送するトラフィックセグメントと、オーバーヘッドデータを搬送するオーバーヘッドセグメントから構成される第１の波形と、（ｉｉ）ＯＦＤＭデータを搬送するトラフィックセグメントから構成される第２の波形に基づいて生成されることができる。代わりに、ＣＤＭデータは、ＣＤＭデータを搬送するトラフィックセグメントのために使用されるサブキャリアに対してマッピングされることもでき、ＯＦＤＭデータは、ＯＦＤＭデータを搬送するトラフィックセグメントのために使用されるサブキャリアに対してマッピングされることもでき、オーバーヘッドデータは、オーバーヘッドセグメントのために使用されるサブキャリアに対してマッピングされることもできる。出力波形は、そのときには、例えば、図１１に示されるように、マッピングされたＣＤＭデータ、ＯＦＤＭデータ、およびオーバーヘッドデータに基づいて生成されることができる。
【００６５】
図１５は、適切に選択されたＯＦＤＭシンボルヌメロロジーに基づいてＣＤＭまたはＯＦＤＭを用いてデータを送信するためのプロセス１５００を示している。ＣＤＭまたはＯＦＤＭは、トラフィック期間について、あるいはトラフィック期間におけるトラフィックセグメントについて選択されることができる（ブロック１５１２）。ＣＤＭが選択される場合、ＣＤＭデータは、チップレートで生成され、トラフィック期間の中で送信されることができる（ブロック１５１４）。ＯＦＤＭが選択される場合には、少なくとも１つのＯＦＤＭシンボルが、サンプルレートで生成され、トラフィック期間の中で送信されることができる（ブロック１５１６）。サンプルレートは、整数の比により、チップレートに関係づけられることができる。各ＯＦＤＭシンボルは、トラフィック期間の存続時間に基づいて決定される存続時間を有することができる。オーバーヘッドデータは、チップレートでＣＤＭに従って生成されることができる（ブロック１５１８）。オーバーヘッドデータは、オーバーヘッド期間の中で送信されることができ、ＣＤＭデータまたは少なくとも１つのＯＦＤＭシンボルは、ＴＤＭを使用してトラフィック期間の中で送信されることができる（ブロック１５２０）。
【００６６】
ＨＲＰＤでは、ＣＤＭデータは、１．２２８８Ｍｃｐｓのチップレートで生成されることができる。少なくとも１つのＯＦＤＭシンボルは、１．２２８８×ｎ  Ｍｓｐｓのサンプルレートで生成されることができ、ここでｎは、整数の比である。トラフィック期間は、４００チップに及ぶことができ、各ＯＦＤＭシンボルは、４００／ｍチップの存続時間を有することができ、ここでｍは、整数の除数である。各ＯＦＤＭシンボルは、Ｋ個のサブキャリアをカバーすることができ、ここでＫは、２の累乗ではない整数とすることができる。
【００６７】
トラフィック期間では、ＣＤＭデータは、スペクトル割付けにおいて少なくとも１つのキャリアについてチップレートで生成されることができ、少なくとも１つのＯＦＤＭシンボルは、そのスペクトル割付けにおいて残りの使用可能なサブキャリアについてサンプルレートで生成されることができる。オーバーヘッド期間では、少なくとも１つの長いＯＦＤＭシンボルは、例えば、図６および７に示されるように、サンプルレートで生成されることができ、オーバーヘッド期間の存続時間に基づいて決定される存続時間を有することができる。
【００６８】
図１６は、使用可能な時間周波数リソースを使用してデータを効率的に送信するためのプロセス１６００を示している。スペクトル割付けにおいて少なくとも１つのキャリアに対応する第１の組のサブキャリアが、決定されることができる（ブロック１６１２）。スペクトル割付けにおいて残りの使用可能なサブキャリアに対応する第２の組のサブキャリアがまた、決定されることもできる（ブロック１６１４）。複数のキャリアが存在する場合、そのときには遷移帯域が隣接するキャリアの間に提供されることができ、ＣＤＭデータを生成するために使用されるパルス整形フィルタの遷移エッジに基づいて決定されることができる。第１の組は、異なるタイプのデータを搬送するキャリアの間のヌルサブキャリア(null subcarrier)を除外することができる。第１および第２の組は、保護サブキャリアを除外することができる。
【００６９】
第１の組のサブキャリア上のＣＤＭデータまたはＯＦＤＭデータ、あるいはＣＤＭデータとＯＦＤＭデータの両方を備え、第２の組のサブキャリア上のＯＦＤＭデータをさらに備える出力波形が、生成されることができる（ブロック１６１６）。出力波形は、各キャリアに対応するサブキャリア上のＣＤＭデータまたはＯＦＤＭデータを備えることができる。出力波形は、少なくとも１つのキャリアについてのオーバーヘッドデータと、オーバーヘッド期間における第３の組のサブキャリア上のＯＦＤＭデータをさらに備えることができる。第３の組は、オーバーヘッド期間における残りの使用可能なサブキャリアを含むことができる。
【００７０】
図１７は、動的に選択可能なＯＦＤＭシンボルヌメロロジーを用いてデータを送信するためのプロセス１７００を示している。第１の組の少なくとも１つのＯＦＤＭシンボルは、第１の端末について第１のＯＦＤＭシンボルヌメロロジーに従って生成されることができる（ブロック１７１２）。第２の組の少なくとも１つのＯＦＤＭシンボルは、第２の端末について第２のＯＦＤＭシンボルヌメロロジーに従って生成されることができる（ブロック１７１４）。第１および第２のＯＦＤＭシンボルヌメロロジーは、異なるＯＦＤＭシンボル存続時間、サブキャリアの異なる数、異なる巡回プレフィックス長などに関連づけられることができる。オーバーヘッドデータは、ＣＤＭに従って生成されることができる（ブロック１７１６）。第１の組の少なくとも１つのＯＦＤＭシンボルは、第１の時間間隔の中で送信されることができ、第２の組の少なくとも１つのＯＦＤＭシンボルは、第２の時間間隔の中で送信されることができ、オーバーヘッドデータは、ＴＤＭを使用して第３の間隔の中で送信されることができる（ブロック１７１８）。
【００７１】
図１８は、ＣＤＭまたはＯＦＤＭを用いて送信されるデータを受信するためのプロセス１８００を示している。トラフィックセグメントについて、ＣＤＭが使用されるか、またはＯＦＤＭが使用されるかの決定が行われることができる（ブロック１８１２）。ＣＤＭが使用される場合、受信サンプルは、トラフィックセグメントの中で送信されるＣＤＭデータを回復するように処理されることができる（ブロック１８１４）。ＯＦＤＭが使用される場合には、受信サンプルは、トラフィックセグメントの中で送信されるＯＦＤＭデータを回復するように処理されることができる（ブロック１８１６）。受信サンプルは、トラフィックセグメントを用いてＴＤＭ化される(is TDMed)オーバーヘッドセグメントの中のオーバーヘッドデータを回復するように処理されることもできる（ブロック１８１８）。
【００７２】
ＯＦＤＭデータを回復するために、受信サンプルは、トラフィックセグメントのために使用されるサブキャリアについての受信シンボルを取得するように処理され（例えば、巡回プレフィックス除去され、逆変換され、そしてデマッピングされ）ることができる。次いで受信シンボルは、例えば、図１２または１３に示されるように、トラフィックセグメントの中で送信されるＯＦＤＭデータを回復するように処理され（例えば、復調され、逆インタリーブされ、そして復調され）ることができる。ＯＦＤＭデータはまた、他の方法で回復されることもできる。
【００７３】
ＣＤＭデータを回復するために、受信サンプルは、トラフィックセグメントのために使用されるサブキャリアについてのフィルタがかけられたサンプルを取得するためにフィルタがかけられることができる。フィルタがかけられたサンプルは、トラフィックセグメントについての入力サンプルを取得するように処理される（例えば、スクランブルを解かれる）ことができる。入力サンプルは、受信シンボルを取得するために複数の直交コード（例えば、ウォルシュコード）を用いてデカバーされる(be decovered)ことができる。次いで受信シンボルは、図１２に示されるようにトラフィックセグメントの中で送信されるＣＤＭデータを回復するように処理され（例えば、復調され、逆インタリーブされ、そして復号化され）ることができる。代わりに、受信サンプルは、複数のサブキャリアについての周波数ドメインシンボルを取得するように処理され（例えば、巡回プレフィックス除去され、逆変換され、デマッピングされ）ることができる。トラフィックセグメントのために使用されるサブキャリアについての周波数ドメインシンボルは、時間ドメインサンプルを取得するように処理される（例えば、変換される）ことができる。時間ドメインサンプルは、受信シンボルを取得するために複数の直交コードを用いてデカバーされることができる。次いで受信シンボルは、例えば、図１３に示されるように、トラフィックセグメントの中で送信されるＣＤＭデータを回復するように処理され（例えば、復調され、逆インタリーブされ、そして復号化され）ることができる。ＣＤＭデータはまた、他の方法で回復されることもできる。
【００７４】
当業者は、情報および信号が、様々な異なる技術および技法のうちのどれかを使用して表されることができることを理解するであろう。例えば、以上の説明全体を通して言及されることができるデータ、命令、コマンド、情報、信号、ビット、シンボル、およびチップは、電圧、電流、電磁波、磁気のフィールドまたは粒子、光のフィールドまたは粒子、あるいはそれらの任意の組合せによって表されることができる。
【００７５】
当業者は、ここにおいて本開示に関連して説明される様々な例示の論理ブロック、モジュール、回路、およびアルゴリズムステップが、電子的ハードウェア、コンピュータソフトウェア、または両方の組合せとしてインプリメントされることができることをさらに理解するであろう。ハードウェアとソフトウェアとの互換性を明確に示すために、様々な例示のコンポーネント、ブロック、モジュール、回路、およびステップは、それらの機能の観点から以上で一般的に説明されてきている。それらの機能が、ハードウェアとしてインプリメントされるか、あるいはソフトウェアとしてインプリメントされるかは、全体的システムに課される特定のアプリケーションおよび設計制約条件に依存する。当業者は、特定の各アプリケーションについての様々な方法で説明される機能をインプリメントすることができるが、そのようなインプリメンテーションの決定は、本開示の範囲からの逸脱を引き起こすものと解釈されるべきではない。
【００７６】
ここにおいて本開示に関連して説明される、様々な例示の論理ブロック、モジュール、および回路は、ここにおいて説明される機能を実行されるように設計される、汎用プロセッサ、デジタル信号プロセッサ(digital signal processor)（ＤＳＰ）、特定用途向け集積回路(application specific integrated circuit)（ＡＳＩＣ）、フィールドプログラマブルゲートアレイ(field programmable gate array)（ＦＰＧＡ）または他のプログラマブルロジックデバイス、ディスクリートゲートまたはトランジスタロジック、ディスクリートハードウェアコンポーネント、あるいはそれらの任意の組合せを用いてインプリメントされ、あるいは実行されることができる。汎用プロセッサは、マイクロプロセッサとすることができるが、代替案においては、プロセッサは、従来の任意のプロセッサ、コントローラ、マイクロコントローラ、または状態機械とすることができる。プロセッサは、コンピューティングデバイスの組合せ、例えば、ＤＳＰとマイクロプロセッサの組合せ、複数のマイクロプロセッサ、ＤＳＰコアと組み合わせた１つまたは複数のマイクロプロセッサ、あるいは他のそのような任意のコンフィギュレーションとしてインプリメントされることもできる。
【００７７】
ここにおいて本開示に関連して説明される方法またはアルゴリズムのステップは、ハードウェアの形で直接に、プロセッサによって実行されるソフトウェアモジュールの形で、あるいはそれら２つの組合せの形で実施されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、または当技術分野において知られている他の任意の形態のストレージ媒体の形で存在することができる。例示のストレージ媒体は、プロセッサが、ストレージ媒体から情報を読み取ることができ、ストレージ媒体に情報を書き込むことができるように、プロセッサに結合される。代替案においては、ストレージ媒体は、プロセッサと一体にすることもできる。プロセッサとストレージ媒体は、ＡＳＩＣに存在することができる。ＡＳＩＣは、ユーザ端末の中に存在することができる。代替案においては、プロセッサとストレージ媒体は、ユーザ端末における個別コンポーネントとして存在することができる。
【００７８】
本開示についての以上の説明は、任意の当業者が本開示を作り、または使用することを可能にするように提供される。本開示に対する様々な修正は、当業者にとって容易に明らかであり、ここにおいて定義される包括的な原理は、本開示の精神あるいは範囲を逸脱することなく、他の変形に対しても適用されることができる。したがって、本開示は、ここにおいて説明される例だけに限定されるようには意図されず、ここにおいて開示される原理および新規の特徴と整合する最も広い範囲が与えられるべきである。
【図１】
0005893691.tif 000004
【図２】
0005893691.tif 000005
【図３Ａ】
0005893691.tif 000006
【図３Ｂ】
0005893691.tif 000007
【図４】
0005893691.tif 000008
【図５】
0005893691.tif 000009
【図６】
0005893691.tif 000010
【図７】
0005893691.tif 000011
【図８】
0005893691.tif 000012
【図９】
0005893691.tif 000013
【図１０】
0005893691.tif 000014
【図１１】
0005893691.tif 000015
【図１２】
0005893691.tif 000016
【図１３】
0005893691.tif 000017
【図１４】
0005893691.tif 000018
【図１５】
0005893691.tif 000019
【図１６】
0005893691.tif 000020
【図１７】
0005893691.tif 000021
【図１８】
0005893691.tif 000022